(57)【要約】【課題】ＲＦＤＩＦ信号よりＣＡＰＡ部分の検出を行うＣＡＰＡ検出装置において、ＲＦＤＩＦ信号の前ＣＡＰＡと後ＣＡＰＡの絶対量が非対称場合にも、後ＣＡＰＡを安定して検出可能なＣＡＰＡ検出装置を提供する。【解決手段】ＲＦＤＩＦ信号をスライスレベルでスライスしてＣＡＰＡ部分を検出する第１のＣＡＰＡ検出手段と、ＲＦＤＩＦ信号とは独立にＣＡＰＡ部分を検出する第２のＣＡＰＡ検出手段と、ＣＡＰＡ部分に含まれるアドレスマークを検出するアドレスマーク検出手段と、スライスレベルを後ＣＡＰＡの信号レベルに追従させる後ＣＡＰＡ追従タイミング信号を出力する後ＣＡＰＡレベル追従タイミング生成手段と、前記後ＣＡＰＡ追従タイミング信号と、前記第１のＣＡＰＡ検出手段からの出力とに基づいて、前記ＣＡＰＡ検出に用いるスライスレベルをＣＡＰＡ部分のＲＦＤＩＦ信号のレベルに追従させるスライスレベル追従手段とを備えることとした。【選択図】図１
2008112504.tif 000002
【特許請求の範囲】
【請求項１】
光ディスクの情報トラックの内周側と外周側に対応する光検出器から得られる再生信号の差信号（以降ＲＦＤＩＦ信号と呼ぶ）より、該光ディスク上のＣＡＰＡ（Ｃｏｍｐｌｉｍｅｎｔａｒｙ  Ａｌｌｏｃａｔｅｄ  Ｐｉｔ  Ａｄｄｒｅｓｓｉｎｇ）部分を検出するＣＡＰＡ検出装置において、
前記ＲＦＤＩＦ信号のＣＡＰＡ部分を、第１のスライスレベルによりスライスする第１のスライサーと、
前記ＲＦＤＩＦ信号のＣＡＰＡ部分を、前記第１のスライスレベルを前記ＲＦＤＩＦ信号のＤＣレベルに対して反転させた第２のスライスレベルによりスライスする第２のスライサーと、
前記第１のスライサー、及び第２のスライサーの出力を元に、前記ＲＦＤＩＦ信号のＣＡＰＡ部分を検出し、ＣＡＰＡ検出信号を出力する第１のＣＡＰＡ検出手段と、
前記ＲＦＤＩＦ信号を使用せずに、光ディスク上のＣＡＰＡ部分を検出する第２のＣＡＰＡ検出手段と、
光ディスク上のＣＡＰＡ部分に含まれるアドレスマークを検出するアドレスマーク検出手段と、
前記第２のＣＡＰＡ検出手段の出力と、前記アドレスマーク検出手段の出力とに基づいて、前記第１のＣＡＰＡ検出手段により検出されるＣＡＰＡ部分のうちの前ＣＡＰＡ部分を認識し、前記第１のＣＡＰＡ検出手段で前記前ＣＡＰＡ部分の検出が終了した後の所定時間、前記第２のスライスレベルを前記ＲＦＤＩＦ信号の後ＣＡＰＡ部分の信号レベルに追従させるタイミング信号を出力する後ＣＡＰＡレベル追従タイミング生成手段と、
前記第１のＣＡＰＡ検出手段からの前記ＣＡＰＡ検出信号と、前記後ＣＡＰＡレベル追従タイミング生成手段からの前記タイミング信号とが指示する期間、前記ＲＦＤＩＦ信号のＣＡＰＡ部分の信号レベルに前記第１のスライスレベルを追従させ、それ以外の期間は前記第１のスライスレベルを保持するスライスレベル追従手段と、を備える、
ことを特徴とするＣＡＰＡ検出装置。
【請求項２】
請求項１に記載のＣＡＰＡ検出装置において、
前記スライスレベルの追従速度を速めるよう指示する制御信号を、少なくとも前記タイミング信号が出力されている間、前記スライスレベル追従手段に対して出力する応答制御手段をさらに備える、
ことを特徴とするＣＡＰＡ検出装置。
【請求項３】
光ディスクの情報トラックの内周側と外周側に対応する光検出器から得られる再生信号の差信号（以降ＲＦＤＩＦ信号と呼ぶ）より、該光ディスク上のＣＡＰＡ（Ｃｏｍｐｌｉｍｅｎｔａｒｙ  Ａｌｌｏｃａｔｅｄ  Ｐｉｔ  Ａｄｄｒｅｓｓｉｎｇ）部分を検出するＣＡＰＡ検出装置において、
前記ＲＦＤＩＦ信号のＣＡＰＡ部分を、第１のスライスレベルによりスライスする第１のスライサーと、
前記ＲＦＤＩＦ信号のＣＡＰＡ部分を、前記第１のスライスレベルを前記ＲＦＤＩＦ信号のＤＣレベルに対して反転させた第２のスライスレベルによりスライスする第２のスライサーと、
前記第１のスライサー、及び第２のスライサーの出力を元に、前記ＲＦＤＩＦ信号のＣＡＰＡ部分を検出し、ＣＡＰＡ検出信号を出力する第１のＣＡＰＡ検出手段と、
後述するスライスレベル追従手段にて前記第１のスライスレベルが保持される期間、時間経過と共に前記第１のスライスレベルを予め設定するクランプレベル方向に低下させ、そのレベルが、前記クランプレベルに到達したか否かを検出するクランプレベル到達検出と、
前記光ディスク上のＣＡＰＡ部分に含まれるアドレスマークを検出するアドレスマーク検出手段と、
前記クランプレベル到達検出手段の出力と、前記アドレスマーク検出手段の出力とに基づいて、前記第１のＣＡＰＡ検出手段により検出されるＣＡＰＡ部分のうちの前ＣＡＰＡ部分を認識し、前記第１のＣＡＰＡ検出手段で前記前ＣＡＰＡ部分の検出が終了した後の所定期間、前記第２のスライスレベルを前記ＲＦＤＩＦ信号の後ＣＡＰＡ部分の信号レベルに追従させるタイミング信号を生成する後ＣＡＰＡレベル追従タイミング生成手段と、
前記第１のＣＡＰＡ検出手段からの前記ＣＡＰＡ検出信号と前記後ＣＡＰＡレベル追従タイミング生成手段からの前記タイミング信号とが指示する期間、前記ＲＦＤＩＦ信号のＣＡＰＡ部分の信号レベルに前記第１のスライスレベルを追従させ、それ以外の期間は前記第１のスライスレベルを保持するスライスレベル追従手段と、を備える、
ことを特徴とするＣＡＰＡ検出装置。
【請求項４】
請求項３に記載のＣＡＰＡ検出装置において、
前記スライスレベルの追従速度を速めるよう指示する制御信号を、少なくとも前記タイミング信号が出力されている間、前記スライスレベル追従手段に対して出力する応答制御手段を有する、
ことを特徴とするＣＡＰＡ検出装置。
【請求項５】
請求項１に記載ＣＡＰＡ検出装置において、
前記スライスレベル追従手段にて前記第１のスライスレベルが保持される期間、時間経過と共に該第１のスライスレベルを予め設定するクランプレベル方向に徐々に低下させ、そのスライスレベルが、前記クランプレベルに到達したか否かを検出するクランプレベル到達検出手段と、
前記ＲＦＤＩＦ信号のＣＡＰＡ部分が、記録領域と未記録領域の何れに位置するかを判別し、前記記録領域に位置する場合は、前記第２のＣＡＰＡ検出手段の出力を、前記未記録領域に位置する場合は、前記クランプレベル到達検出手段からの出力を選択するセレクタと、をさらに備え、
前記後ＣＡＰＡレベル追従タイミング生成手段は、前記セレクタからの出力と、前記アドレスマーク検出手段の出力とに基づいて、前記第１のＣＡＰＡ検出手段により検出されるＣＡＰＡ部分のうちの前ＣＡＰＡ部分を認識し、前記第１のＣＡＰＡ検出手段で前記前ＣＡＰＡ部分の検出が終了した後の所定時間、前記第２のスライスレベルを前記ＲＦＤＩＦ信号の後ＣＡＰＡ部分の信号レベルに追従させるタイミング信号を出力する、
ことを特徴とするＣＡＰＡ検出装置。
【請求項６】
請求項５に記載のＣＡＰＡ検出装置において、
前記スライスレベルの追従速度を速めるよう指示する制御信号を、少なくとも前記タイミング信号が出力されている間、前記スライスレベル追従手段に対して出力する応答制御手段を有する、
ことを特徴とするＣＡＰＡ検出装置。
【発明の詳細な説明】
【技術分野】
【０００１】
本発明は、光ディスク上のＣＡＰＡ部分を検出するＣＡＰＡ検出装置に関し、特に、光ディスクの情報トラックの内周側と外周側に対応する光検出器から得られる再生信号の差信号をスライスレベルでスライスすることによってＣＡＰＡ部分を検出するＣＡＰＡ検出装置に関する。
【背景技術】
【０００２】
従来、光ディスクの情報トラックの内周側と外周側に対応する光検出器から得られる再生信号の差信号（ＲＦＤＩＦ信号）をスライスレベルでスライスしてＣＡＰＡ部分を検出する装置は、ＲＦＤＩＦ信号のＣＡＰＡ部分ではスライスレベルをＲＦＤＩＦ信号の信号レベルに追従させ、前記ＣＡＰＡ部分以外では、そのＣＡＰＡ部分以外に含まれるＲＦＤＩＦ信号のノイズをスライスしないように、前記スライスレベルを保持する。そして、ＣＡＰＡ部分においては、前記ＲＦＤＩＦ信号を前記スライスレベルでスライスし、該スライスレベルを超えるＲＦＤＩＦ信号が来たことを検出してＣＡＰＡ部分を検出する。
【０００３】
図９は、従来のＣＡＰＡ検出装置の構成を表す図である。
図９において、従来のＣＡＰＡ検出装置９００は、ＲＦＤＩＦ信号ｓ１のＣＡＰＡ部分にスライスレベルｓ６を追従させ、かつＣＡＰＡ部分以外では、該スライスレベルｓ６の信号レベルを保持するスライスレベル追従手段４と、前記スライスレベルｓ６を元に、ＲＦＤＩＦ信号１のＤＣレベルに対して反転したスライスレベルｓ７を生成するスライスレベル生成手段５と、前記スライスレベルｓ６により、前記ＲＦＤＩＦ信号ｓ１の上側のＣＡＰＡ部分をスライスする第１のスライサー２と、前記スライスレベルｓ７により、前記ＲＦＤＩＦ信号の下側のＣＡＰＡ部分をスライスする第２のスライサー３と、前記第１及び第２のスライサー２，３でＣＡＰＡ部分をスライスした結果を元にＲＦＤＩＦ信号のＣＡＰＡ部分を検出してＣＡＰＡ検出信号を出力するＣＡＰＡ検出手段８とを有する。また、応答制御信号ｓ９は、スライスレベル追従手段４でスライスレベルの追従が開始されてから安定したレベルに到達するまでの所定期間ハイレベルとなり、前記スライスレベル追従手段４におけるスライスレベルｓ６の追従を速くするための制御信号である。
【０００４】
次に、以上のように構成される従来のＣＡＰＡ検出装置９００の動作を説明する。
図１０は、従来のＣＡＰＡ検出装置９００の動作説明を行なうためのタイミング図であり、（ａ）はＲＦＤＩＦ信号ｓ１及びスライスレベルｓ６，ｓ７を、（ｂ）は第１のスライサー２の出力ｓ２を、（ｃ）は第２のスライサー３の出力ｓ３を、（ｄ）はＣＡＰＡ検出信号ｓ８を、（ｅ）は応答制御信号ｓ９をそれぞれ表す。
【０００５】
まず、図１０に示すタイミング図において、ＲＦＤＩＦ信号ｓ１は、第１のスライサー２と第２のスライサー３の両方に入力される。また、スライスレベルｓ６が、スライスレベル追従手段４から第１のスライサー２に入力され、スライスレベルｓ７が、スライスレベル生成手段５から第２のスライサー３に入力される。
【０００６】
スライスレベル追従手段４から出力されるスライスレベルｓ６は、上側のＣＡＰＡ部分をスライスするレベルであり、第１のスライサー２に入力されると、これを基準にＲＦＤＩＦ信号ｓ１がスライスされ、図１０（ｂ）で示す第１のスライサー２の出力ｓ２が得られる。また、スライスレベル生成手段５から出力されるスライスレベルｓ７は、下側のＣＡＰＡ部分をスライスするレベルであり、第２のスライサー３に入力されると、これを基準にＲＦＤＩＦ信号ｓ１がスライスされ、図１０（ｃ）で示す第２のスライサー３の出力ｓ３が得られる。
【０００７】
次に第１のスライサー２の出力と第２のスライサー３の出力は、第１のＣＡＰＡ検出手段８に入力され、パルス補間されて、ＣＡＰＡ検出信号ｓ８が出力される。このＣＡＰＡ検出信号ｓ８はスライスレベル追従手段４に入力され、スライスレベル追従手段４では、該ＣＡＰＡ検出信号ｓ８が示す期間（ハイレベルの期間）、前記スライスレベルｓ６を前記ＲＦＤＩＦ信号の信号レベルに追従させ、それ以外の期間（ローレベルの期間）は、前記スライスレベルｓ６を保持する。
【０００８】
スライスレベル追従手段４において追従あるいは保持されたスライスレベルｓ６は、第１のスライサー２に帰還され、また第２のスライサー３の出力は、スライスレベル追従手段４とスライスレベル生成手段５を経て第２のスライサー３に帰還され、各スライサー２，３によるスライス後の信号のｄｕｔｙが５０％になるように自動制御される。
【０００９】
なお、特許文献１には、ヘッダのＵＰＰＥＲとＬＯＷＥＲをピークホールド、およびボトムホールドし、各信号を減衰器で所定比に減衰した信号をスライスレベルとして使用する技術が記載されている。
【特許文献１】特開２００２−１７０２４２
【発明の開示】
【発明が解決しようとする課題】
【００１０】
しかしながら、前記従来のＣＡＰＡ検出装置では、図１１に示すような前ＣＡＰＡのオフセットの絶対量よりも後ＣＡＰＡのオフセットの絶対量が小さいＲＦＤＩＦ信号１が入力され、かつ前ＣＡＰＡで生成されたスライスレベルｓ６をＲＦＤＩＦ信号１のＤＣレベルを基準に反転したスライスレベルｓ７が、後ＣＡＰＡの最低レベルよりも低い場合は、このスライスレベルｓ７の信号レベルが変化しなければ第２のスライサー３の出力は出ない。この場合は、ＣＡＰＡ検出手段８の出力が、後ＣＡＰＡでは出力されなくなり、スライスレベルが追従せず保持されたままになるため、後ＣＡＰＡを検出できなくなるという問題があった。
【００１１】
本発明は、前記課題を解決するためになされたものであり、トラッキングずれにより前ＣＡＰＡと後ＣＡＰＡのオフセット量が非対称であっても、安定してＣＡＰＡ部分を検出できるＣＡＰＡ検出装置を提供することを目的とする。
【課題を解決するための手段】
【００１２】
前記課題を解決するために、本発明の請求項１に係るＣＡＰＡ検出装置は、光ディスクの情報トラックの内周側と外周側に対応する光検出器から得られる再生信号の差信号（以降ＲＦＤＩＦ信号と呼ぶ）より、該光ディスク上のＣＡＰＡ（Ｃｏｍｐｌｉｍｅｎｔａｒｙ  Ａｌｌｏｃａｔｅｄ  Ｐｉｔ  Ａｄｄｒｅｓｓｉｎｇ）部分を検出するＣＡＰＡ検出装置において、前記ＲＦＤＩＦ信号のＣＡＰＡ部分を、第１のスライスレベルによりスライスする第１のスライサーと、前記ＲＦＤＩＦ信号のＣＡＰＡ部分を、前記第１のスライスレベルを前記ＲＦＤＩＦ信号のＤＣレベルに対して反転させた第２のスライスレベルによりスライスする第２のスライサーと、前記第１のスライサー、及び第２のスライサーの出力を元に、前記ＲＦＤＩＦ信号のＣＡＰＡ部分を検出し、ＣＡＰＡ検出信号を出力する第１のＣＡＰＡ検出手段と、前記ＲＦＤＩＦ信号を使用せずに、光ディスク上のＣＡＰＡ部分を検出する第２のＣＡＰＡ検出手段と、光ディスク上のＣＡＰＡ部分に含まれるアドレスマークを検出するアドレスマーク検出手段と、前記第２のＣＡＰＡ検出手段の出力と、前記アドレスマーク検出手段の出力とに基づいて、前記第１のＣＡＰＡ検出手段により検出されるＣＡＰＡ部分のうちの前ＣＡＰＡ部分を認識し、前記第１のＣＡＰＡ検出手段で前記前ＣＡＰＡ部分の検出が終了した後の所定時間、前記第２のスライスレベルを前記ＲＦＤＩＦ信号の後ＣＡＰＡ部分の信号レベルに追従させるタイミング信号を出力する後ＣＡＰＡレベル追従タイミング生成手段と、前記第１のＣＡＰＡ検出手段からの前記ＣＡＰＡ検出信号と、前記後ＣＡＰＡレベル追従タイミング生成手段からの前記タイミング信号とが指示する期間、前記ＲＦＤＩＦ信号のＣＡＰＡ部分の信号レベルに前記第１のスライスレベルを追従させ、それ以外の期間は前記第１のスライスレベルを保持するスライスレベル追従手段と、を備えることを特徴とする。
【００１３】
これにより、前ＣＡＰＡの検出が完了した直後より、スライスレベルを後ＣＡＰＡの先頭部分に追従させることができ、後ＣＡＰＡを安定して検出することが可能となる。
【００１４】
また、本発明の請求項２に係るＣＡＰＡ検出装置は、請求項１に記載のＣＡＰＡ検出装置において、前記スライスレベルの追従速度を速めるよう指示する制御信号を、少なくとも前記タイミング信号が出力されている間、前記スライスレベル追従手段に対して出力する応答制御手段をさらに備えることを特徴とする。
【００１５】
これにより、スライスレベルの後ＣＡＰＡへのスライス追従が早くなり、後ＣＡＰＡの検出を速くすることができる。
【００１６】
また、本発明の請求項３に係るＣＡＰＡ検出装置は、光ディスクの情報トラックの内周側と外周側に対応する光検出器から得られる再生信号の差信号（以降ＲＦＤＩＦ信号と呼ぶ）より、該光ディスク上のＣＡＰＡ（Ｃｏｍｐｌｉｍｅｎｔａｒｙ  Ａｌｌｏｃａｔｅｄ  Ｐｉｔ  Ａｄｄｒｅｓｓｉｎｇ）部分を検出するＣＡＰＡ検出装置において、前記ＲＦＤＩＦ信号のＣＡＰＡ部分を、第１のスライスレベルによりスライスする第１のスライサーと、前記ＲＦＤＩＦ信号のＣＡＰＡ部分を、前記第１のスライスレベルを前記ＲＦＤＩＦ信号のＤＣレベルに対して反転させた第２のスライスレベルによりスライスする第２のスライサーと、前記第１のスライサー、及び第２のスライサーの出力を元に、前記ＲＦＤＩＦ信号のＣＡＰＡ部分を検出し、ＣＡＰＡ検出信号を出力する第１のＣＡＰＡ検出手段と、後述するスライスレベル追従手段にて前記第１のスライスレベルが保持される期間、時間経過と共に前記第１のスライスレベルを予め設定するクランプレベル方向に低下させ、そのレベルが、前記クランプレベルに到達したか否かを検出するクランプレベル到達検出と、前記光ディスク上のＣＡＰＡ部分に含まれるアドレスマークを検出するアドレスマーク検出手段と、前記クランプレベル到達検出手段の出力と、前記アドレスマーク検出手段の出力とに基づいて、前記第１のＣＡＰＡ検出手段により検出されるＣＡＰＡ部分のうちの前ＣＡＰＡ部分を認識し、前記第１のＣＡＰＡ検出手段で前記前ＣＡＰＡ部分の検出が終了した後の所定期間、前記第２のスライスレベルを前記ＲＦＤＩＦ信号の後ＣＡＰＡ部分の信号レベルに追従させるタイミング信号を生成する後ＣＡＰＡレベル追従タイミング生成手段と、前記第１のＣＡＰＡ検出手段からの前記ＣＡＰＡ検出信号と前記後ＣＡＰＡレベル追従タイミング生成手段からの前記タイミング信号とが指示する期間、前記ＲＦＤＩＦ信号のＣＡＰＡ部分の信号レベルに前記第１のスライスレベルを追従させ、それ以外の期間は前記第１のスライスレベルを保持するスライスレベル追従手段と、を備えることを特徴とする。
【００１７】
これにより、未記録ディスクにおいて、前ＣＡＰＡの検出が完了した直後より、スライスレベルを後ＣＡＰＡの先頭部分に追従させることができ、後ＣＡＰＡを安定して検出することが可能となる。
【００１８】
また、本発明の請求項４に係るＣＡＰＡ検出装置は、請求項３に記載のＣＡＰＡ検出装置において、前記スライスレベルの追従速度を速めるよう指示する制御信号を、少なくとも前記タイミング信号が出力されている間、前記スライスレベル追従手段に対して出力する応答制御手段を有することを特徴とする。
【００１９】
これにより、未記録ディスクにおいて、スライスレベルの後ＣＡＰＡへのスライス追従が早くなり、後ＣＡＰＡの検出を速くすることができる。
【００２０】
また、本発明の請求項５に係るＣＡＰＡ検出装置は、請求項１に記載ＣＡＰＡ検出装置において、前記スライスレベル追従手段にて前記第１のスライスレベルが保持される期間、時間経過と共に該第１のスライスレベルを予め設定するクランプレベル方向に徐々に低下させ、そのスライスレベルが、前記クランプレベルに到達したか否かを検出するクランプレベル到達検出手段と、前記ＲＦＤＩＦ信号のＣＡＰＡ部分が、記録領域と未記録領域の何れに位置するかを判別し、前記記録領域に位置する場合は、前記第２のＣＡＰＡ検出手段の出力を、、前記未記録領域に位置する場合は、前記クランプレベル到達検出手段からの出力を選択するセレクタと、をさらに備え、前記後ＣＡＰＡレベル追従タイミング生成手段は、前記セレクタからの出力と、前記アドレスマーク検出手段の出力とに基づいて、前記第１のＣＡＰＡ検出手段により検出されるＣＡＰＡ部分のうちの前ＣＡＰＡ部分を認識し、前記第１のＣＡＰＡ検出手段で前記前ＣＡＰＡ部分の検出が終了した後の所定時間、前記第２のスライスレベルを前記ＲＦＤＩＦ信号の後ＣＡＰＡ部分の信号レベルに追従させるタイミング信号を出力することを特徴とする。
【００２１】
これにより、ディスクの記録領域と未記録領域とで、スライスレベルを後ＣＡＰＡの先頭に追従させる手段を自動的に選択することができる。
【００２２】
また、本発明の請求項６に係るＣＡＰＡ検出装置は、請求項５に記載のＣＡＰＡけ検出装置において、前記スライスレベルの追従速度を速めるよう指示する制御信号を、少なくとも前記タイミング信号が出力されている間、前記スライスレベル追従手段に対して出力する応答制御手段を有することを特徴とする。
【００２３】
これにより、ディスクの記録領域と未記録領域とで、スライスレベルを後ＣＡＰＡの先頭に追従させる手段を自動的に選択する場合、何れの手段を用いる場合であっても、スライスレベルの後ＣＡＰＡへのスライス追従が速くなり、後ＣＡＰＡの検出時間を短縮することが出来る。
【発明の効果】
【００２４】
本発明のＣＡＰＡ検出装置によれば、前ＣＡＰＡの物理アドレスが完全に読めなくても、ＲＦＤＩＦ信号に基づいて検出されたＣＡＰＡ部分のうち前ＣＡＰＡ部分を判別することができ、前ＣＡＰＡと判断されたＣＡＰＡ部分が検出された直後より、スライスレベルをＣＡＰＡに追従させることで、後ＣＡＰＡを安定に検出することができる。
【００２５】
また、スライスレベルを後ＣＡＰＡに追従させると同時に、スライスレベルの追従処理を早めることとしたので、後ＣＡＰＡを検出するまでの時間を短縮することが出来る。
【発明を実施するための最良の形態】
【００２６】
以下、本発明の実施の形態について、図面を参照しながら説明する。
（実施の形態１）
図１は、本実施の形態１によるＣＡＰＡ検出装置１００の構成を表す図である。
図１において、第１のスライサー２は、スライスレベルｓ６により、ＲＦＤＩＦ入力1より入力されるＲＦＤＩＦ信号ｓ１の上側のＣＡＰＡ部分（前ＣＡＰＡ）をスライスするものであり、第２のスライサー３は、スライスレベルｓ７により、前記ＲＦＤＩＦ信号ｓ１の下側のＣＡＰＡ部分（後ＣＡＰＡ）をスライスするものである。
【００２７】
スライスレベル追従手段４は、前記スライサーの出力ｓ２，ｓ３に基づいて、スライスレベルｓ６をＲＦＤＩＦ信号ｓ１のＣＡＰＡ部分の信号レベルに追従させ、かつＣＡＰＡ部分以外では前記スライスレベル６を保持するものである。また、前記スライスレベル追従手段４は、前記第１のスライサー２、及び第２のスライサー３のそれぞれによりスライスされた信号のｄｕｔｙが５０％になるように、スライスレベルｓ６の信号レベルを追従させるものである。
【００２８】
スライスレベル生成手段５は、スライスレベルｓ６を、ＲＦＤＩＦ信号ｓ１のＤＣレベルに対して反転させて、後ＣＡＰＡ部分をスライスするスライスレベルｓ７を生成するものである。
【００２９】
第１のＣＡＰＡ検出手段８は、前記第１のスライサー２の出力ｓ２と第２のスライサー３の出力ｓ３を元に、ＲＦＤＩＦ信号のＣＡＰＡ部分を検出して、ＣＡＰＡ検出信号ｓ８を出力するものである。応答制御信号ｓ９は、前記スライスレベル追従手段４に対して、スライスレベルｓ６の追従処理を速めるよう指示する制御信号である。
【００３０】
第２のＣＡＰＡ検出手段１０は、ＲＦＤＩＦ信号ｓ１とは独立に、光ディスクのＣＡＰＡ部分を検出するものである。この第２のＣＡＰＡ検出手段１０は、例えばＤＰＤ（位相差検出）によりトラッキングずれを検出する手段により実現可能である。つまり、位相差検出によりトラッキングずれを検出する手段では、ＣＡＰＡ部分はトラッキングずれと認識されるため、ＲＦＤＩＦ信号ｓ１を用いずに、光ディスク上のＣＡＰＡ部分を検出することができる。
【００３１】
アドレスマーク検出手段１１は、光ディスク上のＣＡＰＡ部分に含まれるアドレスマークを検出するものである。ここで、ＤＶＤ−ＲＡＭでは、前記ＣＡＰＡ部分に４つの物理アドレスが設けられ、該各アドレスの前にはアドレスマークが設けられている。前記アドレスマークは、比較的容易に検出できるものであり、物理アドレスが読めない場合でも、該アドレスマークは検出できる場合が多い。アドレスマークだけでは、検出されたＣＡＰＡ部分が前ＣＡＰＡか後ＣＡＰＡかの区別はできないが、ＣＡＰＡ部分であることは検出できるため、本実施の形態１では、ＣＡＰＡ部分に含まれる物理アドレスではなく、アドレスマークを検出することで、ＣＡＰＡ部分を容易に検出可能としている。
【００３２】
後ＣＡＰＡレベル追従タイミング生成手段１２は、前記第２のＣＡＰＡ検出手段１０の出力と、前記アドレスマーク検出手段１１の出力とに基づいて、スライスレベルｓ７をＲＦＤＩＦ信号の後ＣＡＰＡの信号レベルに追従させる後ＣＡＰＡ追従タイミング信号ｓ１２を生成するものである。具体的には、後ＣＡＰＡレベル追従タイミング生成手段１２は、第２のＣＡＰＡ検出手段１０によりＣＡＰＡ部分が検出され、その後初めてアドレスマーク検出手段１１によりアドレスマークが検出された場合に、この時点で第１のＣＡＰＡ検出手段８により読み取られているＣＡＰＡ部分を前ＣＡＰＡと認識し、前記第１のＣＡＰＡ検出手段８にて該前ＣＡＰＡの検出が終了した後から、前記スライスレベルｓ７が前記後ＣＡＰＡのＲＦＤＩＦ信号の信号レベルに達するまでの期間、スライスレベルｓ７を、後ＣＡＰＡの信号レベルに追従させる後ＣＡＰＡ追従タイミング信号ｓ１２を、ＯＲゲート１３に対して出力する。
【００３３】
ＯＲゲート１３は、後ＣＡＰＡレベル追従タイミング生成手段１２から出力される後ＣＡＰＡ追従タイミング信号ｓ１２と第１のＣＡＰＡ検出手段８から出力されるＣＡＰＡ検出信号ｓ８との論理和をとり、追従タイミング信号ｓ１３として、前記スライスレベル追従手段４に出力するものである。前記スライスレベル追従手段４では、この追従タイミング信号ｓ１３に基づいて、前記スライスレベルｓ６の追従処理を行う。具体的には、追従タイミング信号ｓ１３がハイレベルのときは、スライスレベル追従手段にてスライスレベルｓ６を前記ＲＦＤＩＦ信号の信号レベルに追従させ、ローレベルのときは、該スライスレベルｓ６を保持する。
【００３４】
次に、以上のように構成されるＣＡＰＡ検出装置１００の動作について説明する。
図２は、本実施の形態１によるＣＡＰＡ検出装置１００の動作説明を行なうためのタイミング図であり、（ａ）はＲＦＤＩＦ信号ｓ１を、（ｂ）は第１のスライサー２の出力ｓ２を、（ｃ）は第２のスライサー３の出力ｓ３を、（ｄ）は第１のＣＡＰＡ検出手段８から出力されるＣＡＰＡ検出信号ｓ８を、（ｅ）は第２のＣＡＰＡ検出手段１０の出力ｓ１０を、（ｆ）はアドレスマーク検出手段１１の出力ｓ１１を、（ｇ）は後ＣＡＰＡレベル追従タイミング生成手段１２から出力される後ＣＡＰＡ追従タイミング信号ｓ１２を、（ｈ）はＯＲゲート１３から出力される追従タイミング信号ｓ１３を、（ｉ）は応答制御信号ｓ９をそれぞれ表す。
【００３５】
まず、ｔ１のタイミングで、光ディスク上のＣＡＰＡ部分が、光ピックアップにより読み取られると、図２（ａ）で示すように、上側にオフセットしたＲＦＤＩＦ信号ｓ１が、ＲＦＤＩＦ入力１より第１のスライサー２及び第２のスライサー３に入力され、該ＲＦＤＩＦ信号１は、前記第１のスライサー２において、スライスレベルｓ６を基準にスライスされ、これにより、図２（ｂ）で示すように、第１のスライサー２の出力ｓ２が立ち上がる。一方、第２のスライサー３の出力ｓ３はローレベルを維持する。第１，第２のスライサー２の出力ｓ２，ｓ３は、第１のＣＡＰＡ検出手段８、及びスライスレベル追従手段４に入力され、第１のＣＡＰＡ検出手段８では、パルス補間されて、図２（ｄ）で示すようなＣＡＰＡ検出信号ｓ８が出力され、該ＣＡＰＡ検出信号ｓ８はＯＲゲート１３に入力される。
【００３６】
これと同時に、第２のＣＡＰＡ検出手段１０では、ｔ１のタイミングで、光ディスク上のＣＡＰＡ部分が、ＲＦＤＩＦ信号１とは独立して検出され（図２（ｅ）参照）、後ＣＡＰＡレベル追従タイミング生成手段１２に出力される。後ＣＡＰＡレベル追従タイミング生成手段１２からは、アドレスマーク検出手段１１によりＣＡＰＡ部分のアドレスマークが検出されるまでは、ＯＲゲート１３に対してローレベルの後ＣＡＰＡ追従タイミング信号ｓ１２が出力される（図２（ｇ）参照）。従って、ｔ１のタイミングでは、ＯＲゲート１３には、ハイレベルを示すＣＡＰＡ検出信号ｓ８、及びローレベルを示す後ＣＡＰＡレベル追従タイミング信号ｓ１２が入力され、この結果、図２（ｈ）に示すように、スライスレベルの追従を許可するハイレベルの追従タイミング信号ｓ１３が、スライスレベル追従手段４に出力され、前記スライスレベル追従手段４では、前記第１のスライサー２の出力ｓ２を元に、スライスレベルｓ６をＲＦＤＩＦ信号ｓ１の信号レベルに追従させ、且つ、第１のスライサー２の出力を元に、スライス後の信号のｄｕｔｙが５０％になるように、スライスレベルｓ６の追従処理がなされる（図２（ａ）のｓ６参照）。また、前記スライスレベル追従手段４には、スライスレベルｓ６の追従処理が開始されてから（ｔ１のタイミング）、該スライスレベルが安定したレベルに達するまでの間、応答制御入力９より、スライスレベルの追従速度を速めるよう指示する応答制御信号ｓ９が入力される（図２（ｉ）参照）。
【００３７】
次に、ｔ２のタイミングにおいて、アドレスマーク検出手段１１により、アドレスマークが検出されると、アドレスマークの検出を示すパルス信号が、アドレスマーク検出手段１１から後ＣＡＰＡレベル追従タイミング生成手段１２に出力される（図２（ｆ）参照）。これにより、前記後ＣＡＰＡレベル追従タイミング生成手段１２は、この時点で前記第１のＣＡＰＡ検出手段８で検出されているＣＡＰＡ部分が前ＣＡＰＡであると認識する。そして、前記後ＣＡＰＡレベル追従タイミング生成手段１２は、第１のＣＡＰＡ検出手段８からのＣＡＰＡ検出信号ｓ８が、ハイレベルからローレベルに立ち下がるタイミングｔ３で、ＯＲゲート１３に対して後ＣＡＰＡ追従タイミング信号ｓ１２を出力し（図２（ｇ）参照）、ＯＲゲート１３からスライスレベル追従手段４に対して、スライスレベルの追従を許可するハイレベルの追従タイミング信号ｓ１３が出力される。これにより、前記スライスレベル追従手段４では、タイミングｔ３以降、スライスレベルｓ７がＲＦＤＩＦ信号ｓ１の後ＣＡＰＡの信号レベルに達するまで、スライスレベルｓ７の絶対値、すなわちスライスレベルｓ６、の追従処理がなされる（図２（ａ）のｓ６，ｓ７参照）。
【００３８】
その後、ｔ４のタイミングで、スライスレベルｓ７が後ＣＡＰＡの信号レベルに達し、スライスレベルｓ７でＲＦＤＩＦ信号ｓ１がスライスされると、後ＣＡＰＡ追従タイミング信号ｓ１２が立ち下がると共に、第２のスライサー３の出力ｓ３が立ち上がり、第１のＣＡＰＡ検出手段８において後ＣＡＰＡが検出されて、ＣＡＰＡ検出信号ｓ８が立ち上がる（図２（ｃ），（ｄ）参照）。従って、ｔ４のタイミングで、ＯＲゲート１３には、ハイレベルを示すＣＡＰＡ検出信号ｓ８、及びローレベルを示す後ＣＡＰＡ追従タイミング信号ｓ１２が入力され、この結果、図２（ｈ）に示すように、スライスレベルの追従を許可するハイレベルの追従タイミング信号ｓ１３が、継続してスライスレベル追従手段４に出力される。前記スライスレベル追従手段４では、前記第２のスライサー３の出力ｓ３を元に、スライスレベルｓ７をＲＦＤＩＦ信号ｓ１の信号レベルに追従させた後、さらに、該第２のスライサー３の出力を元に、スライス後の信号のｄｕｔｙが５０％になるように、スライスレベルｓ７の絶対値の追従処理がなされる（図２（ａ）のｓ６参照）。また、前記スライスレベル追従手段４には、ｔ４のタイミングから、スライスレベルｓ７の絶対値が安定したレベルに達するまでの間、応答制御入力９より、前記応答制御信号ｓ９が入力される（図２（ｉ）参照）。
【００３９】
第１のＣＡＰＡ検出手段８による後ＣＡＰＡの検出が完了し、第１のＣＡＰＡ検出手段８からのＣＡＰＡ検出信号ｓ８が立ち下がると、ＯＲゲート１３の出力ｓ１３も立ち下がり、この結果、スライスレベルｓ６は、次のＣＡＰＡ部分が読み出されるまで、スライスレベル追従手段４により、そのレベルが保持される。
【００４０】
以上のように、本実施の形態１によるＣＡＰＡ検出装置によれば、ＲＦＤＩＦ信号に基づいて検出されたＣＡＰＡ部分のうち、ＲＦＤＩＦ信号とは独立して光ディスク上のＣＡＰＡ部分が検出され、かつその後初めてアドレスマークが検出された時点で検出されたＣＡＰＡ部分を、前ＣＡＰＡと判断し、該前ＣＡＰＡの検出が終了した後の所定の期間、スライスレベルをＲＦＤＩＦ信号に追従させることとしたので、ＲＦＤＩＦ信号において前ＣＡＰＡと後ＣＡＰＡのオフセット量が非対称になり、前ＣＡＰＡで生成されたスライスレベルが後ＣＡＰＡの信号レベルに達しない場合であっても、スライスレベルを後ＣＡＰＡに追従させることができ、ＣＡＰＡ部分を安定に検出することが可能となる。
【００４１】
なお、前記実施の形態１では、スライスレベル追従手段４は、第１のスライサー２と第２のスライサー３の出力で動作させてフィードバックを掛けることとしているが、直接ＲＦＤＩＦ入力１から適切なスライスレベルを生成しフィードフォワードさせてもよい。
【００４２】
（実施の形態２）
本実施の形態２によるＣＡＰＡ検出装置は、前記実施の形態１によるＣＡＰＡ検出装置１００において、前ＣＡＰＡの検出終了直後より応答制御信号を出力させ、スライスレベルを後ＣＡＰＡに追従させる時間を短縮するものである。
【００４３】
図３は、本実施の形態２によるＣＡＰＡ検出装置３００の構成を表す図である。なお、図３において、前記実施の形態１によるＣＡＰＡ検出装置１００と同じ構成要素については同一の符号を使用し、その説明を省略する。
図３において、本実施の形態２によるＣＡＰＡ検出装置３００は、前記実施の形態１によるＣＡＰＡ検出装置１００において、応答制御信号ｓ９と、後ＣＡＰＡレベル追従タイミング生成手段１２からの後ＣＡＰＡ追従タイミング信号ｓ１２とを入力とする第２のＯＲゲート１４を備えている。第２のＯＲゲート１４の出力ｓ１４は、スライスレベル追従手段４によるスライスレベルの追従処理を速めよう指示する制御信号として、スライスレベル追従手段４に入力される。
【００４４】
次に、以上のように構成されるＣＡＰＡ検出装置３００の動作について説明する。
図４は、本実施の形態２によるＣＡＰＡ検出装置３００の動作説明を行なうためのタイミング図であり、（ａ）はＲＦＤＩＦ信号ｓ１を、（ｂ）は第１のスライサー２の出力ｓ２を、（ｃ）は第２のスライサー３の出力ｓ３を、（ｄ）はＣＡＰＡ検出信号ｓ８を、（ｅ）は第２のＣＡＰＡ検出手段１０の出力ｓ１０を、（ｆ）はアドレスマーク検出手段１１の出力ｓ１１を、（ｇ）は後ＣＡＰＡ追従タイミング信号ｓ１２を、（ｈ）は追従タイミング信号ｓ１３を、（ｉ）は応答制御信号ｓ９を、（ｊ）は第２のＯＲゲート１４の出力ｓ１４を、それぞれ表す。
【００４５】
ＣＡＰＡ検出装置３００の基本的な動作は、前述した実施の形態１によるＣＡＰＡ検出装置１００と同じである。つまり、ｔ１のタイミングで光ディスク上のＣＡＰＡ部分が、光ピックアップにより読み取られると、ＲＦＤＩＦ信号ｓ１が第１のスライサー２によりスライスされ、第１のスライサー２の出力ｓ２に基づいて、第１のＣＡＰＡ検出手段８により前ＣＡＰＡが検出される（図４（ｄ）参照）。同時に、第２のＣＡＰＡ検出手段１０により、ＲＦＤＩＦ信号ｓ１とは独立して光ディスク上のＣＡＰＡ部分が検出される。その後、ｔ２のタイミングで、アドレスマーク検出手段１１によりＣＡＰＡ部分のアドレスマークが検出されると（図４（ｆ）参照）、第１のＣＡＰＡ検出手段８からのＣＡＰＡ検出信号ｓ８がハイレベルからローレベルに立ち下がるタイミングｔ３で、後ＣＡＰＡレベル追従タイミング生成手段１２より、ハイレベルの後ＣＡＰＡ追従タイミング信号ｓ１２が出力される（図４（ｇ）参照）。
【００４６】
本実施の形態２によるＣＡＰＡ検出装置３００では、後ＣＡＰＡレベル追従タイミング生成信号ｓ１２は、ＯＲゲート１３へ入力されると共に、第２のＯＲゲート１４に入力され、この結果、タイミングｔ３以降、後ＣＡＰＡレベル追従タイミング信号ｓ１２がハイレベルの間、第２のＯＲゲート１４から、スライスレベル追従手段４に対して、追従処理を速める制御信号ｓ１４が入力される（図４（ｊ）参照）。
【００４７】
これにより、第１のＣＡＰＡ検出手段８による前ＣＡＰＡの検出が完了した後、スライスレベル追従手段４において、スライスレベルｓ７は、そのレベルがＲＦＤＩＦ信号ｓ１の後ＣＡＰＡの信号レベルに達するまで、前記ＲＦＤＩＦ信号ｓ１に追従され、かつ、前記制御信号ｓ１４の入力により、このスライスレベル追従手段４によるスライスレベルｓ７の追従処理が速められる。
【００４８】
スライスレベルｓ７によりＲＦＤＩＦ信号の後ＣＡＰＡのスライスが開始されると、後ＣＡＰＡレベル追従タイミング制御手段１２から出力される後ＣＡＰＡ追従タイミング信号ｓ１２が立ち下がり、同時に応答制御入力９より、応答制御信号ｓ９が、スライスレベルが追従を開始してから安定したレベルに到達するまでの間出力され、第２のＯＲゲート１４よりスライスレベル追従手段４に対して、追従処理を速める制御信号ｓ１４が出力される。
【００４９】
これ以降は、前記実施の形態１と同様に、ＲＦＤＩＦ信号ｓ１が、第２のスライサー３により、スライスレベルｓ７を基準にスライスされ、該第２のスライサー２の出力ｓ２は、第１のＣＡＰＡ検出手段８においてパルス補間されて、図４（ｄ）で示すＣＡＰＡ検出信号ｓ８が検出される。
【００５０】
以上のように、本実施の形態２によるＣＡＰＡ検出装置によれば、後ＣＡＰＡレベル追従タイミング生成手段１２の出力がハイレベルの間、スライスレベルの追従速度を速めるよう指示する制御信号を、スライスレベル追従手段４に対して出力することとしたので、スライスレベルの後ＣＡＰＡの信号レベルへの追従時間を短縮することが可能となる。
【００５１】
（実施の形態３）
本実施の形態３によるＣＡＰＡ検出装置５００は、前記実施の形態１によるＣＡＰＡ検出装置１００において、スライスレベル追従手段４がスライスレベルｓ６を保持する期間、時間経過と共に該スライスレベルｓ６を所定のクランプレベル方向に低下させ、前記スライスレベルｓ６がクランプレベルに達し、かつアドレスマークが初めて検出された場合に、この時点で第１のＣＡＰＡ検出手段８により検出されたＣＡＰＡ部分を、前ＣＡＰＡと判断し、第１のＣＡＰＡ検出手段８により前ＣＡＰＡが検出された後の所定期間、スライスレベルｓ７を後ＣＡＰＡの信号レベルに追従させるものである。
【００５２】
図５は、本実施の形態３によるＣＡＰＡ検出装置５００の構成を表す図である。なお、図５において、前記実施の形態１によるＣＡＰＡ検出装置１００と同じ構成要素については同一の符号を使用し、その説明を省略する。
図５において、１６は、スライスレベルｓ６が保持される期間、時間経過と共にスライスレベルをクランプレベル方向に低下させるスライスレベル低下手段である。スライスレベル低下手段１６は、ＣＡＰＡ部分以外ではスライスレベル追従手段４の出力を厳密に保持するのではなく、後ＣＡＰＡの検出終了後、次のＣＡＰＡの直前までに、スライスレベルを、所定のクランプレベルまで徐々に低下させる。
【００５３】
１５は、スライスレベル低下手段１７より出力されるスライスレベルが、予め定めるクランプレベルに達したか否かを判断するクランプレベル到達検出手段である。クランプレベル到達検出手段１５は、スライスレベル低下手段１６の出力を監視し、スライスレベルがクランプレベルに到達すると、ハイレベルクランプレベル到達検出手段の出力ｓ１５を、所定の期間、後ＣＡＰＡ追従タイミング生成手段１２に対して出力する。このクランプレベル到達検出手段１５の出力ｓ１５をハイレベルからローレベルに変化させるタイミングは、固定時間でもよく、また第１のＣＡＰＡ検出手段８により後ＣＡＰＡが検出された時点でもよい。
【００５４】
また、本実施の形態３における後ＣＡＰＡレベル追従タイミング生成手段１２は、クランプレベル到達検出手段１５よりハイレベルの信号を受け、かつその後初めてアドレスマーク検出手段１１によりアドレスマークが検出された場合に、その時点で第１のＣＡＰＡ検出手段８により検出されていたＣＡＰＡ部分を前ＣＡＰＡと判断し、該第１のＣＡＰＡ検出手段８による前ＣＡＰＡの検出が終了した後、スライスレベルｓ７が後ＣＡＰＡのＲＦＤＩＦ信号の信号レベルに達するまでの間、スライスレベルを該ＲＦＤＩＦ信号の後ＣＡＰＡの信号レベルに追従させる後ＣＡＰＡ追従タイミング信号ｓ１２をＯＲゲート１３に出力する。
【００５５】
次に、以上のように構成されるＣＡＰＡ検出装置５００の動作について説明する。
図６は、本実施の形態３によるＣＡＰＡ検出装置５００の動作説明を行なうためのタイミング図であり、（ａ）はＲＦＤＩＦ信号ｓ１を、（ｂ）は第１のスライサー２の出力をｓ２、（ｃ）は第２のスライサー３の出力ｓ３を、（ｄ）はＣＡＰＡ検出信号ｓ８を、（ｅ）はクランプレベル到達検出手段１５の出力ｓ１５を、（ｆ）はアドレスマーク検出手段１１の出力ｓ１１を、（ｇ）は後ＣＡＰＡ追従タイミング信号ｓ１２を、（ｈ）は追従タイミング信号ｓ１３の出力をそれぞれ表す。
【００５６】
まず、ｔ１のタイミングにおいて、第１のＣＡＰＡ検出手段８による後ＣＡＰＡの検出が完了し、第１のＣＡＰＡ検出手段８からＣＡＰＡ検出信号ｓ８が立ち下がると、ＯＲゲート１３からローレベルの追従タイミング信号ｓ１３が、スライスレベル追従手段４に出力され、スライスレベルｓ６の信号レベルが、スライスレベル追従手段４で保持される。このレベル保持されたスライスレベルｓ６は、前記実施の形態１と同様に、第１のスライサー２、及びスライスレベル生成手段５に出力されると共に、本実施の形態３においては、スライスレベル低下手段１６に対して出力される。
【００５７】
図６（ａ）のｓ１６は、スライスレベル低下手段より出力されるスライスレベルを表しており、スライスレベル低下手段１６では、ｔ１以降、時間経過と共にスライスレベルｓ６がクランプレベル方向に低下され、クランプレベル到達検出手段１５に出力される。
【００５８】
クランプレベル到達検出手段１５では、スライスレベル低下手段１６より出力されるスライスレベルｓ１６が、クランプレベルに到達したか否かが判定され、ｔ２のタイミングで、該スライスレベルｓ１６がクランプレベルに到達すると、クランプレベル到達検出手段１５よりハイレベルの信号ｓ１５が、後ＣＡＰＡレベル追従タイミング生成手段１２に出力される（図６（ｅ）参照）。
【００５９】
その後、第１のＣＡＰＡ検出手段８によりＣＡＰＡ部分が検出され、ｔ３のタイミングにおいて、アドレスマーク検出手段１１によりアドレスマークが検出されると、アドレスマークの検出を示すパルス信号ｓ１１が、アドレスマーク検出手段１１から後ＣＡＰＡレベル追従タイミング生成手段１２に出力される。すると、第１のＣＡＰＡ検出手段８の出力がハイレベルからローレベルに立ち下がるタイミングｔ４で、後ＣＡＰＡ追従タイミング信号ｓ１２が、後ＣＡＰＡレベル追従タイミング生成手段１２からＯＲゲート１３に対して出力され（図６（ｇ）参照）、スライスレベルｓ７の追従を許可するハイレベルの追従タイミング信号ｓ１３が、ＯＲゲート１３からスライスレベル追従手段４に対して出力される
【００６０】
これ以降は、前記実施の形態１と同様に、スライスレベルｓ７の絶対値が、後ＣＡＰＡの信号レベルに達するまで、スライスレベル追従手段４により、スライスレベル７がＲＦＤＩＦ信号ｓ１の後ＣＡＰＡの信号レベルに追従され、その後、スライスレベル追従手段４によりフィードバックされたスライスレベルｓ７によりＲＦＤＩＦ信号ｓ１がスライスされて、後ＣＡＰＡが検出される。
【００６１】
以上のように、本実施の形態３によるＣＡＰＡ検出装置によれば、スライスレベルを保持する期間、時間経過と共にスライスレベルをクランプレベル方向に低下させ、ＲＦＤＩＦ信号に基づいて検出されたＣＡＰＡ部分のうち、スライスレベルが所定のクランプレベルに達し、かつアドレスマークが初めて検出された時点で検出されたＣＡＰＡ部分を、前ＣＡＰＡと判断し、該前ＣＡＰＡの検出が終了した後の所定の期間、スライスレベルをＲＦＤＩＦ信号に追従させることとしたので、前ＣＡＰＡと後ＣＡＰＡのオフセット量が非対称になり前ＣＡＰＡで生成されたスライスレベルでは後ＣＡＰＡをスライスできない場合であっても、スライスレベルを後ＣＡＰＡに追従させることができ、後ＣＡＰＡを安定に検出することが可能となる。
【００６２】
特に、本実施の形態３によるＣＡＰＡ検出装置は、前記実施の形態１のように、前ＣＡＰＡを、光ディスク上の記録マークに基づいて生成される位相差信号を使用して予測するものではないので、未記録ディスクにおいても、第１のＣＡＰＡ検出手段８により検出されているＣＡＰＡ部分より前ＣＡＰＡを予測することができ、後ＣＡＰＡを安定に検出することが可能となる
【００６３】
なお、本実施の形態３によるＣＡＰＡ検出装置５００において、図７に示すように、応答制御入力からの応答制御信号ｓ９と、後ＣＡＰＡレベル追従タイミング生成手段１２からの後ＣＡＰＡ追従タイミング信号ｓ１２とを入力とする第２のＯＲゲート１４を設け、該第２のＯＲゲートの出力ｓ１４を、スライスレベル追従手段４におけるスライスレベルの追従応答速度の制御信号とすることで、前記実施の形態２と同様にスライスレベル追従タイミング生成手段１２の出力がハイレベルの間、スライスレベル追従の応答を早くすることができ、未記録領域のＣＡＰＡ検出においても、後ＣＡＰＡの先頭部分でのスライスレベル追従の時間短縮を図ることが可能となる
【００６４】
（実施の形態４）
本実施の形態４は、前記実施の形態２によるＣＡＰＡ検出装置３００において、前記実施の形態３のＣＡＰＡ検出装置５００におけるスライスレベル低下手段１６と、クランプレベル到達検出手段１５とをさらに備え、検出されるＣＡＰＡ部分が光ディスク上の記録領域と未記録領域のいずれに位置するかに応じて、後ＣＡＰＡレベル追従タイミング生成手段１２への出力を、クランプレベル到達検出手段１５と第２のＣＡＰＡ検出手段１０との間で自動的に切り換えるものである。
【００６５】
図８は、本実施の形態５によるＣＡＰＡ検出装置８００の構成を表す図である。なお、前記実施の形態１ないし実施の形態３によるＣＡＰＡ検出装置と同じ構成要素については同一の符号を使用し、その説明を省略する。
【００６６】
図８において、セレクタ１７は、ＲＦ信号のレベルを検出して、光ディスク上の記録／未記録状態を検出し、ピックアップにより読み出されている領域が記録領域である場合は、第２のＣＡＰＡ検出手段１０の出力を、後ＣＡＰＡレベル追従タイミング生成手段１２に出力し、未記録領域である場合は、クランプレベル到達検出手段１５の出力を、後ＣＡＰＡレベル追従タイミング生成手段１２に出力するものである。
【００６７】
次に動作について説明する。
本実施の形態４によるＣＡＰＡ検出装置８００において、セレクタ１７により、光ディスク上のデータの記録状態が検出され、記録領域であると判断されると、セレクタ１７の出力が第２のＣＡＰＡ検出手段１０側に切り換えられ、第２のＣＡＰＡ検出手段１０の出力が、後ＣＡＰＡレベル追従タイミング生成手段１２に出力される。
【００６８】
そして、前記実施の形態２と同様に、第２のＣＡＰＡ検出手段１０によりＣＡＰＡ部分が検出され、かつアドレスマーク検出手段１１により初めてアドレスマークが検出されると、第１のＣＡＰＡ検出手段８による前ＣＡＰＡの検出が完了した後の所定期間、後ＣＡＰＡレベル追従タイミング生成手段１２より、後ＣＡＰＡ追従タイミング信号ｓ１２が出力され、これにより、スライスレベルｓ７は、第１のＣＡＰＡ検出手段８により前ＣＡＰＡの検出が完了した後、そのレベルがＲＦＤＩＦ信号の後ＣＡＰＡのレベルに達するまで、ＲＦＤＩＦ信号ｓ１に追従される。
【００６９】
一方、セレクタ１７により、未記録領域であると判断された場合は、セレクタ１７の出力がクランプレベル到達検出手段１５側に切り換えられ、クランプレベル到達検出手段１５の出力が、後ＣＡＰＡレベル追従タイミング生成手段１２に出力される。
【００７０】
そして、前記実施の形態３と同様に、スライスレベル低下手段１６より出力されるスライスレベルｓ１６が、所定のクランプレベルに到達し、かつアドレスマーク検出手段１１により最初にアドレスマークが検出されると、前記第１のＣＡＰＡ検出手段８による前ＣＡＰＡの検出が完了した後の所定期間、後ＣＡＰＡレベル追従タイミング生成手段１２より、後ＣＡＰＡ追従タイミング信号ｓ１２が出力され、これにより、第１のＣＡＰＡ検出手段８により前ＣＡＰＡの検出が完了した後、スライスレベル７は、そのレベルがＲＦＤＩＦ信号の後ＣＡＰＡのレベルに達するまで、ＲＦＤＩＦ信号ｓ１に追従される。
【００７１】
以上のように、本実施の形態４によるＣＡＰＡ検出装置によれば、セレクタにより光ディスク上の未記録領域と記録領域を検出し、検出するＣＡＰＡ部分が光ディスクのどの領域に存在するかに応じて、第２のＣＡＰＡ検出手段の出力と、クランプレベル到達検出手段の出力のいずれか一方を選択し、後ＣＡＰＡレベル追従タイミング生成手段に出力することとしたので、光ディスクの記録状態に応じて、自動的に最適な後ＣＡＰＡの追従処理を行うことが可能となる。
【００７２】
なお、本実施の形態４においては、前記実施の形態２によるＣＡＰＡ検出装置３００に、クランプレベル到達検出手段１５、スライスレベル低下手段１６、及びセレクタ１７を設けた場合の実施例について説明したが、前記実施の形態１によるＣＡＰＡ検出装置１００に、これらの構成要素を付加してもよい。
【産業上の利用可能性】
【００７３】
本発明のＣＡＰＡ検出装置は、ＤＶＤ−ＲＡＭの再生において、ＣＡＰＡ部分の検出手段として利用できる点において有用である。
【図面の簡単な説明】
【００７４】
【図１】本発明の実施の形態１によるＣＡＰＡ検出装置の構成図である。
【図２】本発明の実施の形態１によるＣＡＰＡ検出のタイミング図である。
【図３】本発明の実施の形態２によるＣＡＰＡ検出装置の構成図である。
【図４】本発明の実施の形態２によるＣＡＰＡ検出のタイミング図である。
【図５】本発明の実施の形態３によるＣＡＰＡ検出装置の構成図である。
【図６】本発明の実施の形態３によるＣＡＰＡ検出のタイミング図である。
【図７】本発明の実施の形態３によるＣＡＰＡ検出装置の変形例を表す構成図である。
【図８】本発明の実施の形態４によるＣＡＰＡ検出装置の構成図である。
【図９】従来のＣＡＰＡ検出装置の構成図である。
【図１０】従来のＣＡＰＡ検出のタイミング図である。
【図１１】上下のオフセット量が非対称となったＲＦＤＩＦ信号を表す図である。
【符号の説明】
【００７５】
１  ＲＦＤＩＦ入力
２  第１のスライサー
３  第２のスライサー
４  スライスレベル追従手段
５  スライスレベル生成手段
８  第１のＣＡＰＡ検出手段
９  応答制御入力
１０  第２のＣＡＰＡ検出手段
１１  アドレスマーク検出手段
１２  後ＣＡＰＡレベル追従タイミング生成手段
１３  ＯＲゲート
１４  第２のＯＲゲート
１５  クランプレベル到達検出手段
１６  スライスレベル低下手段
１７  セレクタ
ｓ１  ＲＦＤＩＦ信号
ｓ２  第１のスライサーの出力
ｓ３  第２のスライサーの出力
ｓ６  スライスレベル（上側）
ｓ７  スライスレベル(下側)
ｓ８  ＣＡＰＡ検出信号
ｓ９  応答制御信号
ｓ１０  第２のＣＡＰＡ検出手段の出力
ｓ１１  アドレスマーク検出手段の出力
ｓ１２  後ＣＡＰＡ追従タイミング信号
ｓ１３  追従タイミング信号
ｓ１４  第２のＯＲゲートの出力
ｓ１５  クランプレベル到達検出手段の出力
ｓ１６  スライスレベル低下手段からのスライスレベル
【図１】
2008112504.tif 000003
【図２】
2008112504.tif 000004
【図３】
2008112504.tif 000005
【図４】
2008112504.tif 000006
【図５】
2008112504.tif 000007
【図６】
2008112504.tif 000008
【図７】
2008112504.tif 000009
【図８】
2008112504.tif 000010
【図９】
2008112504.tif 000011
【図１０】
2008112504.tif 000012
【図１１】
2008112504.tif 000013